(57)【要約】      （修正有）【課題】軽量化し、かつ、形状を簡略化して、運搬時の操作性や、所定箇所における装着性、解体性が良好なコーナーパネルを提供する。【解決手段】コーナーパネル１は、平坦な基板部２と、基板部２の両側片に沿って傾斜角をもって連設した一対の両連結板部３と、両連結板部３の突出側の両側片に沿って各々傾斜角をもって連設されるとともに、隣接する各平坦パネル体を直角配置となるように配置するための一対の平坦パネル体用側板部４と、を具備し、基板部２の内面に爪付きフックの爪を係合させる爪受け胴部５を設けるとともに、一対の平坦パネル体用側板部４の突出端部内側にパネル蓋取り付けのためのパネル蓋取り付け具用受け胴部６を設けた。【選択図】図１
0003231933.tif 000002
【実用新案登録請求の範囲】
【請求項１】
平坦な基板部と、
前記基板部の両側片に沿って傾斜角をもって連設した一対の両連結板部と、
前記両連結板部の突出側の両側片に沿って各々傾斜角をもって連設されるとともに、隣接する各平坦パネル体を直角配置となるように配置するための一対の平坦パネル体用側板部と、
を具備し、
前記基板部の内面に爪付きフックの爪を係合させる爪受け胴部を設けるとともに、前記一対の平坦パネル体用側板部の突出端部内側にパネル蓋取り付けのためのパネル蓋取り付け具用受け胴部を設けたことを特徴とするコーナーパネル。
【請求項２】
前記爪受け胴部は、前記基板部の一端側の短尺爪受け胴部と、この短尺爪受け胴部と分離配置の前記基板部の他端側の長尺爪受け胴部との分割構造である請求項１記載のコーナーパネル。
【請求項３】
前記コーナーパネルは、前記基板部、連結板部、及び、パネル体側板部の端面を覆うパネル蓋を更に備えるとともに、前記パネル蓋には爪付きフックの爪を挿通させる爪挿通穴と、前記パネル蓋取り付け具を挿通させるパネル蓋取り付け具挿通穴とを設けたことを特徴とする請求項１又は２記載のコーナーパネル。
【考案の詳細な説明】
【技術分野】
【０００１】
本考案は、コーナーパネルに関し、詳しくは、工事現場等の騒音源をパネル群により簡単に略方形状に囲い、積極的な防音機能を発揮させる仮設囲いにおける角部に用いるコーナーパネルに関するものであり、コーナーパネル自体を軽量化し、かつ、形状を簡略化して、コーナーパネル自体の運搬時の操作性や所定箇所における装着性、解体性が良好なコーナーパネルに関するものである。
【背景技術】
【０００２】
従来、工事現場等の騒音を伴う場所では、当該工事現場等の場所の周辺領域との境界部分をパネル群により簡単に略方形状に囲い、積極的な防音機能を発揮させる仮設囲いが構築され、このような仮設囲いにおける隅角部にはコーナーパネルが配置されるのが通常である。
【０００３】
このようなコーナーパネルの従来例について図６を参照して説明する。
【０００４】
図６に示す従来のコーナーパネル５１は、平坦で長尺な基板部５２の一面側に前記基板部５２の長さ方向に沿って、パネル蓋受け用の端面多角形状を呈する一対の長尺胴部５３、５３を設け、この一対の長尺胴部５３、５３の内側に、パネル蓋を取り付けるため，各々２個ずつ、計４個のネジ受部５４を設けた構成としている。
【０００５】
しかし、このような従来のコーナーパネル５１の場合、長尺な基板部５２の一面側にパネル蓋受け用の端面多角形状を呈する一対の長尺胴部５３、５３を設けた構成としているので、コーナーパネル５１自体の重量が増加してしまう。
【０００６】
また、前記コーナーパネル５１自体にこれを支持するための爪付きフック用の受け部が存在しないため、別途パネル蓋側に爪付きフック用の受け部を設ける必要性が生じ、このため、コーナーパネル５１自体の運搬時の操作性や所定箇所における装着性、解体性が良好でないという問題を包含していた。
【０００７】
特許文献１には、コーナーパネルの一例として、上下に開口を有する方形状囲い型防音パネル装置の隅角部に用いられる自立用のコーナーパネルであって、幅方向略中央位置から縦方向に向かい二つ折り可能なコーナーパネル本体と、前記コーナーパネル本体を前記幅方向略中央位置から所定の折り曲げ角度に保持すべくコーナーパネル本体内側に取り付けられる角度保持リブと、コーナーパネル本体の長さ方向に沿って保持された防音パネル装置組立用パイプと、を有する自立式コーナーパネルが開示されている。
【０００８】
しかし、特許文献１の自立式コーナーパネルの場合、コーナーパネル本体内側に角度保持リブを設けたり、コーナーパネル本体の長さ方向に沿って防音パネル装置組立用パイプを保持したりしなければならない構成であり、やはり、コーナーパネル本体の運搬時の操作性や、角部に対する装着性、解体性が良好でないという問題を包含している。
【先行技術文献】
【特許文献】
【０００９】
【特許文献１】特開２０１７−１２８８９２号公報
【考案の概要】
【考案が解決しようとする課題】
【００１０】
本考案は、従来における上記事情に鑑み開発されたものであり、コーナーパネル自体を軽量化し、かつ、形状を簡略化して、コーナーパネル自体の運搬時の操作性や、所定箇所における装着性、解体性が良好なコーナーパネルを提供するものである。
【課題を解決するための手段】
【００１１】
本考案に係るコーナーパネルは、平坦な基板部と、前記基板部の両側片に沿って傾斜角をもって連設した一対の両連結板部と、前記両連結板部の突出側の両側片に沿って各々傾斜角をもって連設されるとともに、隣接する各平坦パネル体を直角配置となるように配置するための一対の平坦パネル体用側板部と、を具備し、前記基板部の内面に、爪付きフックの爪を係合させる爪受け胴部を設けるとともに、前記一対のパネル体側板部の突出端部内側に、パネル蓋取り付けのためのパネル蓋取り付け具用受け胴部を設けたことを最も主要な特徴とする。
【考案の効果】
【００１２】
請求項１記載の考案によれば、コーナーパネル自体を軽量化し、かつ、形状を簡略化して、コーナーパネル自体の運搬時の操作性や所定箇所における装着性、解体性が良好なコーナーパネルを実現し、提供することができる。
【００１３】
請求項２記載の考案によれば、請求項１記載の考案において、前記爪受け胴部は、前記基板部の一端側の短尺爪受け胴部と、この短尺爪受け胴部と分離配置の前記基板部の他端側の長尺爪受け胴部との分割構造としているので、爪付きフックの爪によるコーナーパネル自体の支持態様の多様化を図ることができるコーナーパネルを実現し、提供することができる。
【００１４】
請求項３記載の考案によれば、請求項１又は２記載の考案において、前記基板部、連結板部、及び平坦パネル体用側板部の端面を覆うパネル蓋を備え、前記パネル蓋には爪付きフックの爪を挿通させる爪挿通穴と、前記パネル蓋取り付け具を挿通させるパネル蓋取り付け具挿通穴とを設けているので、コーナーパネル自体とパネル蓋とを組み合わせることにより、コーナーパネルの端面の開口領域を塞ぎ、雨水等の侵入を防止できる機能を発揮するコーナーパネルを実現し、提供することができる。
【図面の簡単な説明】
【００１５】
【図１】図１は本考案の実施例に係るコーナーパネル、パネル蓋の概略斜視図である。
【図２】図２は本実施例に係るコーナーパネルの概略端面図である。
【図３】図３は本実施例に係るコーナーパネルの爪付きフックの爪による支持状態（パネル蓋なし）を示す概略平面図である。
【図４】図４は本実施例に係るコーナーパネルの爪付きフックの爪による支持状態（パネル蓋あり）を示す概略斜視図である。
【図５】図５は本実施例に係るコーナーパネルの最上部、中段部、及び、最下部にわたる多段配置の場合の爪付きフックの爪のコーナーパネルに対する配置形態を示す説明図である。
【図６】図６は従来におけるコーナーパネルの概略斜視図である。
【考案を実施するための形態】
【００１６】
本考案は、コーナーパネル自体を軽量化し、かつ、形状を簡略化して、コーナーパネル自体の運搬時の操作性や、所定箇所における装着性、解体性が良好なコーナーパネルを提供するという目的を、平坦な基板部と、前記基板部の両側片に沿って傾斜角をもって連設した一対の両連結板部と、前記両連結板部の突出側の両側片に沿って各々傾斜角をもって連設されるとともに、隣接する各平坦パネル体を直角配置となるように配置するための一対の平坦パネル体用側板部と、を具備し、前記基板部の内面に爪付きフックの爪を係合させる爪受け胴部を設けるとともに、前記一対のパネル体側板部の突出端部内側に、パネル蓋取り付けのためのパネル蓋取り付け具用受け胴部を設け、前記爪受け胴部は、前記基板部の一端側の短尺爪受け胴部と、この短尺爪受け胴部と分離配置の前記基板部の他端側の長尺爪受け胴部との分割構造である構成により実現した。
【実施例】
【００１７】
以下、図面を参照して、本考案の実施例に係るコーナーパネル１について詳細に説明する。
【００１８】
本実施例に係るコーナーパネル１は、図１、図２に示すように、平坦な基板部２と、前記基板部２の両側片に沿って傾斜角をもって連設した一対の両連結板部３、３と、前記両連結板部３、３の突出側の両側片に沿って各々傾斜角をもって連設されるとともに、仮囲いのために隣接する各平坦パネル体１１、１１を、直角配置を呈するように配置するための一対の平坦パネル体用側板部４、４と、を具備し、前記基板部２の内面に、爪付きフック２１の爪２２を係合させる爪受け胴部５を設けるとともに、前記一対の平坦パネル体用側板部４、４の突出端部内側に、パネル蓋取り付けのための例えばネジのようなパネル蓋取り付け具用の一対のパネル蓋取り付け具用受け胴部６、６を設けている。
【００１９】
前記爪受け胴部５は、前記基板部２の一端側の短尺爪受け胴部５ａと、この短尺爪受け胴部５ａと分離配置の前記基板部２の他端側の長尺爪受け胴部５ｂとの分割構造とし、短尺爪受け胴部５ａと長尺爪受け胴部５ｂとの間に間隔Ｓを形成している。
【００２０】
そして、このような爪受け胴部５を構成する短尺爪受け胴部５ａと長尺爪受け胴部５ｂとの間に、間隔Ｓを形成しているので、爪付きフック２１の爪２２によるコーナーパネル１の支持態様の多様化（例えば起立高さ調整等）を図ることができる。
【００２１】
また、このような構成により、前記コーナーパネル１単独で爪付きフック２１の爪２２による支持に対応でき、前記従来例のような一対の長尺胴部５３、５３を設ける必要が無く、コーナーパネル１自体を軽量化し、かつ、全体形状を簡略化して、コーナーパネル１自体の運搬時の操作性や、所定箇所における装着性、解体性向上を図ることができる。
【００２２】
更に、前記コーナーパネル１は、図１に示すように、基板部２、連結板部３、３、及び平坦パネル体用側板部４、４の端面を覆うパネル蓋３１を更に備えるとともに、前記パネル蓋３１には爪付きフック２１の爪２２を挿通させる爪挿通穴３２と、前記パネル蓋取り付け具を挿通させるパネル蓋取り付け具挿通穴３３とを設けている。
【００２３】
このような構成により、前記コーナーパネル１とパネル蓋３１とを組み合わせた構成とすることができ、パネル蓋３１を付加した構成とすれば、コーナーパネル１の端面の開口領域を塞ぎ、雨水等の侵入を防止できる利点がある。
【００２４】
図３は本実施例に係るコーナーパネルの爪付きフック２１の爪２２による支持状態（パネル蓋３１なし）を示し、図４は本実施例に係るコーナーパネル１の爪付きフック２１の爪２２による支持状態（パネル蓋３１あり）を示すものである。
【００２５】
図５は、本実施例に係るコーナーパネル１の最上部、中段部、及び最下部にわたる多段配置の場合の爪付きフック２１の爪２２の各コーナーパネル１に対する配置形態を示すものである。
【００２６】
図５上欄に示すように、コーナーパネル１の内側近傍に立設配置した支柱２３に装着した爪付きフック２１の爪２２により、最上部に配置されるコーナーパネル１を支持する場合は、爪付きフック２１の爪２２を下向きとして前記コーナーパネル１における基板部２に設けた爪受け胴部５に前記爪２２を係合させる。
【００２７】
また、図５中欄に示すように、コーナーパネル１の内側近傍に立設配置した支柱２３に装着した爪付きフック２１の爪２２により、中段部に配置されるコーナーパネル１を支持する場合は、爪付きフック２１の爪２２を上向きとして前記コーナーパネル１における基板部２に設けた爪受け胴部５に前記爪２２を係合させる。
【００２８】
更に、図５下欄に示すように、コーナーパネル１の内側近傍に立設配置した支柱２３に装着した爪付きフック２１の爪２２により、最下部に配置されるコーナーパネル１を支持する場合は、図５中欄に示す場合と同様、爪付きフック２１の爪２２を上向きとして前記コーナーパネル１における基板部２に設けた爪受け胴部５に前記爪２２を係合させる。
【００２９】
このようにして、本実施例のコーナーパネル１によれば、前記基板部２に爪受け胴部５を設けているので、前記コーナーパネル１を最上部、中段部、及び最下部のように多段配置とする場合にも簡略容易に対応できる。
【産業上の利用可能性】
【００３０】
本考案のコーナーパネルは、各種建設工事現場、各種土木工事現場、建造物の解体工事等のような種々の工事現場のパネル群を用いた仮囲いにおける角隅部に採用するコーナーパネルとして広範に利用可能である。
【符号の説明】
【００３１】
１    コーナーパネル
２    基板部
３    連結板部
４    平坦パネル体用側板部
５    爪受け胴部
５ａ  短尺爪受け胴部
５ｂ  長尺爪受け胴部
６    パネル蓋取り付け具用受け胴部
１１    平坦パネル体
２１    爪付きフック
２２    爪
２３    支柱
３１    パネル蓋
３２    爪挿通穴
３３    パネル蓋取り付け具挿通穴
Ｓ    間隔
【図１】
0003231933.tif 000003
【図２】
0003231933.tif 000004
【図３】
0003231933.tif 000005
【図４】
0003231933.tif 000006
【図５】
0003231933.tif 000007
【図６】
0003231933.tif 000008